(57)【特許請求の範囲】
【請求項１】
フロン系冷媒と、炭素数１〜５の炭化水素とを含有する可燃性フロン系冷媒組成物を用いた冷凍装置の可燃性フロン系冷媒組成物を取り出して処理する処理装置であって、燃焼炉と、前記冷凍装置の冷凍回路から可燃性フロン系冷媒組成物を取り出して前記燃焼炉に供給する冷媒供給装置と、前記燃焼炉に燃焼用の外気を供給する空気供給装置と、前記燃焼炉に水蒸気を供給する水蒸気供給装置とを備え、前記燃焼炉中で可燃性フロン系冷媒組成物を水蒸気の存在下で燃焼分解して処理することを特徴とする可燃性フロン系冷媒組成物の処理装置。
【請求項２】
可燃性フロン系冷媒組成物を水蒸気の存在下で燃焼分解した際に発生する廃ガスの処理装置を備えたことを特徴とする請求項１記載の処理装置。
【請求項３】
前記冷媒供給装置は、圧力レギュレータと、この圧力レギュレータに連結した燃焼手段とを備えたことを特徴とする請求項１あるいは請求項２記載の処理装置。
【請求項４】
組成物全体を基準にして炭素数１〜５の炭化水素を６重量％以上９０重量％以下含有することを特徴とする請求項１から請求項３のいずれかに記載の処理装置。
【請求項５】
ポータブルにしたことを特徴とする請求項１から請求項４のいずれかに記載の処理装置。
【請求項６】
不燃性ＨＦＣ冷媒と炭素数１〜５の炭化水素との組み合わせ、もしくは不燃性ＨＦＣ冷媒と可燃性ＨＦＣ冷媒と炭素数１〜５の炭化水素との組み合わせからなる可燃性フロン系冷媒組成物であって、そのガス体と空気との混合物を常温雰囲気下においては連続燃焼できないが、８００℃以上の温度雰囲気下においては連続燃焼できる可燃性フロン系冷媒組成物を用いたことを特徴とする請求項１から請求項５のいずれかに記載の処理装置。
【請求項７】
燃焼炉中で請求項１記載の可燃性フロン系冷媒組成物を水蒸気の存在下、炉内温度８００℃以上で燃焼分解することを特徴とする可燃性フロン系冷媒組成物の処理方法。
【請求項８】
不燃性ＨＦＣ冷媒と炭素数１〜５の炭化水素との組み合わせ、もしくは不燃性ＨＦＣ冷媒と可燃性ＨＦＣ冷媒と炭素数１〜５の炭化水素との組み合わせからなる可燃性フロン系冷媒組成物であって、そのガス体と空気との混合物を常温雰囲気下においては連続燃焼できないが、８００℃以上の温度雰囲気下においては連続燃焼できる可燃性フロン系冷媒組成物を用いたことを特徴とする請求項７記載の処理方法。
【発明の詳細な説明】
【０００１】
【発明の属する技術分野】
本発明は、可燃性フロン系冷媒組成物の処理装置および処理方法に関するものである。
【０００２】
【従来の技術】
従来、冷凍機などの冷凍装置の冷媒として用いられているものはジクロロジフルオロメタン（Ｒ−１２）や共沸混合冷媒のＲ−１２と１，１−ジフルオロエタン（Ｒ−１５２ａ）とからなるＲ−５００が多い。しかしながら、上記の各冷媒は、その高いオゾン破壊の潜在性により大気中に放出されて地球上空のオゾン層に到達すると、このオゾン層を破壊する。このオゾン層の破壊は冷媒中の塩素基（Ｃｌ）により引き起こされる。そこで、塩素基の含有量を減少させた冷媒、例えば、クロロジフルオロメタン（ＨＣＦＣ−２２）、塩素基を含まない冷媒、例えば、ジフルオロメタン（ＨＦＣ−３２、Ｒ−３２）、トリフルオロメタン（ＨＦＣ−２３、Ｒ−２３）、ペンタフルオロエタン（ＨＦＣ−１２５、Ｒ−１２５）、１，１，１，２−テトラフルオロエタン（ＨＦＣ−１３４ａ、Ｒ−１３４ａ）、１，１，１−トリフルオロエタン（ＨＦＣ−１４３ａ、Ｒ−１４３ａ）、塩素基と水素を含まないフルオロカーボン系冷媒（ＦＣ系冷媒）、あるいはこれらの混合物が前記冷媒の代替冷媒として考えられている。
これらのフロン系冷媒はオゾン層を破壊する危険性や地球温暖化効果が炭酸ガスより約１０００倍も大きいことが知られている。そこで、現在、使用済みの冷凍機や冷蔵庫などからこれらのフロン系冷媒ガスを回収して焼却などにより破壊したり、精製して再利用しようという提案がなされている。
しかし、これらのフロン系冷媒ガスの回収、精製、破壊は手間もかかり、コスト的にも大変高価であるという問題がある。
【０００３】
【発明が解決しようとする課題】
本発明者はこの問題を解決するために、先に、ＨＦＣ系冷媒やＦＣ系冷媒と炭化水素とを含有する可燃性冷媒組成物を使用した冷凍装置や、この可燃性冷媒組成物を大気中で燃焼する処理方法や処理装置などを提案した。しかし、フロン系冷媒ガスは分解しずらくフロン系冷媒ガスの分解が不完全なまま廃ガスに伴われて大気に放出されてしまう問題があった。
本発明は上記の問題を解決するものであり、本発明の目的は、分解しずらいフロン系冷媒ガスを容易に燃焼分解して、未分解のフロン系冷媒ガスが廃ガスに伴われて大気に放出されてしまうことがないようにした、可燃性フロン系冷媒組成物の処理装置および処理方法を提供することである。
【０００４】
【課題を解決するための手段】
すなわち、上記課題を解決するため請求項１の発明は、フロン系冷媒と、炭素数１〜５の炭化水素とを含有する可燃性フロン系冷媒組成物を用いた冷凍装置の可燃性フロン系冷媒組成物を取り出して処理する処理装置であって、燃焼炉と、前記冷凍装置の冷凍回路から可燃性フロン系冷媒組成物を取り出して前記燃焼炉に供給する冷媒供給装置と、前記燃焼炉に燃焼用の外気を供給する空気供給装置と、前記燃焼炉に水蒸気を供給する水蒸気供給装置とを備え、前記燃焼炉中で可燃性フロン系冷媒組成物を水蒸気の存在下で燃焼分解して処理することを特徴とする可燃性フロン系冷媒組成物の処理装置。
【０００５】
本発明の請求項２の発明は、請求項１記載の処理装置において、可燃性フロン系冷媒組成物を水蒸気の存在下で燃焼分解した際に発生する廃ガスの処理装置を備えたことを特徴とする。
【０００６】
本発明の請求項３の発明は、請求項１あるいは請求項２記載の処理装置において、前記冷媒供給装置は、圧力レギュレータと、この圧力レギュレータに連結した燃焼手段とを備えたことを特徴とする。
【０００７】
本発明の請求項４の発明は、請求項１から請求項３のいずれかに記載の処理装置において、組成物全体を基準にして炭素数１〜５の炭化水素を６重量％以上９０重量％以下含有することを特徴とする。
【０００８】
本発明の請求項５の発明は、請求項１から請求項４のいずれかに記載の処理装置において、ポータブルにしたことを特徴とする。
【０００９】
本発明の請求項６の発明は、請求項１から請求項４のいずれかに記載の処理装置において、不燃性ＨＦＣ冷媒と炭素数１〜５の炭化水素との組み合わせ、もしくは不燃性ＨＦＣ冷媒と可燃性ＨＦＣ冷媒と炭素数１〜５の炭化水素との組み合わせからなる可燃性フロン系冷媒組成物であって、そのガス体と空気との混合物を常温雰囲気下においては連続燃焼できないが、８００℃以上の温度雰囲気下においては連続燃焼できる可燃性フロン系冷媒組成物を用いたことを特徴とする。
【００１０】
本発明の請求項７の発明は、燃焼炉中で請求項１記載の可燃性フロン系冷媒組成物を水蒸気の存在下、炉内温度８００℃以上で燃焼分解することを特徴とする可燃性フロン系冷媒組成物の処理方法である。
【００１１】
本発明の請求項８の発明は、請求項７記載の処理方法において、不燃性ＨＦＣ冷媒と炭素数１〜５の炭化水素との組み合わせ、もしくは不燃性ＨＦＣ冷媒と可燃性ＨＦＣ冷媒と炭素数１〜５の炭化水素との組み合わせからなる可燃性フロン系冷媒組成物であって、そのガス体と空気との混合物を常温雰囲気下においては連続燃焼できないが、８００℃以上の温度雰囲気下においては連続燃焼できる可燃性フロン系冷媒組成物を用いたことを特徴とする。
【００１２】
【発明の実施の形態】
例えば、ジクロロジフルオロメタン（Ｒ−１２）は下記式（１）で示したように加熱しても分解しずらい。
ＣＣｌ２  Ｆ２  →Ｃ＋Ｃｌ２  ＋Ｆ２                      （１）
△Ｇ０  （自由エンタルピー）９０９ｋＪ／ｍｏｌ
△Ｈ０  （エンタルピー）１１９３ｋＪ／ｍｏｌ
しかし、ジクロロジフルオロメタン（Ｒ−１２）は下記式（２）で示したように水蒸気を加えると加熱分解し易くなる。
ＣＣｌ２  Ｆ２  ＋Ｈ２  Ｏ→ＣＯ２  ＋２ＨＣｌ＋２ＨＦ        （２）
△Ｇ０  （自由エンタルピー）−４１７．５２ｋＪ／ｍｏｌ
△Ｈ０  （エンタルピー）−１６０．０３ｋＪ／ｍｏｌ
【００１３】
本発明においては、燃焼炉中で可燃性フロン系冷媒組成物を水蒸気の存在下で燃焼して分解する。水蒸気の存在下で、好ましくは炉内温度８００℃以上で、容易に燃焼して分解できるので、未分解のフロン系冷媒ガスが廃ガスに伴われて大気に放出されてしまうことがない。
【００１４】
本発明で用いる可燃性フロン系冷媒組成物は、ＣＦＣ系冷媒［例えば、ジクロロジフルオロメタン（Ｒ−１２）］など、ＨＣＦＣ系冷媒［例えば、クロロジフルオロメタン（ＨＣＦＣ−２２）］など、ＨＦＣ系冷媒（Ｒ１３４ａ、Ｒ１２５、Ｒ１４３ａ、Ｒ３２、Ｒ２３、Ｒ１４など）、ＦＣ系冷媒、あるいはこれらの冷媒の混合物に対して、炭素数１〜５の炭化水素を混合した可燃性フロン系冷媒組成物であって、一旦燃焼させると酸化反応による熱が連続的に発生して、その燃焼の熱により継続して燃焼が進行してフロン系冷媒の分子構造が破壊されるように混合された可燃性フロン系冷媒組成物である。燃焼後の廃ガスはオゾン層を破壊したり、温暖化係数の高いフロン系冷媒を含まず、温暖化係数の低いＣＯ２  、Ｈ２  Ｏ、ＨＣｌ、ＨＦなどを含む。
【００１５】
本発明で用いる可燃性フロン系冷媒組成物の具体例としては、例えば、Ｒ−１３４ａ／Ｒ−６００（ｎ−ブタン）、Ｒ−１３４ａ／Ｒ−６００／Ｒ−２９０（プロパン）、Ｒ−１４３ａ／Ｒ１３４ａ／Ｒ−６００ａ（イソブタン）、Ｒ−３２／Ｒ−１２５／Ｒ−１３４ａ／Ｒ−２９０などを挙げることができる。
【００１６】
可燃性フロン系冷媒組成物の好ましい例として、不燃性ＨＦＣ冷媒と炭素数１〜５の炭化水素との組み合わせ、例えば、Ｒ−１３４ａ／Ｒ−６００（ｎ−ブタン）、Ｒ−１３４ａ／Ｒ−６００／Ｒ−２９０（プロパン）など、もしくは不燃性ＨＦＣ冷媒と可燃性ＨＦＣ冷媒と炭素数１〜５の炭化水素との組み合わせ、例えば、Ｒ−１４３ａ／Ｒ１３４ａ／Ｒ−６００ａ（イソブタン）、Ｒ−３２／Ｒ−１２５／Ｒ−１３４ａ／Ｒ−２９０などからなる可燃性フロン系冷媒組成物であって、そのガス体と空気との混合物を常温雰囲気下においては連続燃焼できないが、８００℃以上の温度雰囲気下においては連続燃焼できるような組み合わせからなる可燃性フロン系冷媒組成物を挙げることができる。
【００１７】
本発明の処理装置に、廃ガスに含まれるＨＣｌ、ＨＦなどの酸性物質を吸収、除去するための廃ガスの処理装置を備え、この処理装置でＨＣｌ、ＨＦなどの酸性物質を吸収、除去すればこれらの酸性物質が廃ガスに伴われて大気に放出されるのを防止できる。
【００１８】
本発明で用いる炭素数１〜５の炭化水素は、分子構造が直鎖状でも分岐状でもこれらの混合物であってもよく、例えば、メタン、エタン、プロパン、ブタン、ペンタン、イソブタン、イソペンタンなどを挙げることができる。
【００１９】
本発明において、前記のような燃焼を促進させるための炭化水素の混合比は６重量％よりも大きいことが好ましく、６重量％未満では不燃性となる。また、炭化水素の比率が９０％を超えてしまうとＨＦＣ系冷媒やＦＣ系冷媒を混合するメリットがほとんど無くなってしまう。炭素数１〜５の炭化水素の混合割合が６重量％以上９０重量％の範囲で使用すると、冷凍機油として、ミネラルオイルやアルキルベンゼン、ＨＡＢ油などの合成油を使用でき、ＣＯＰが高く、しかも最も安全に燃焼分解でき、かつ燃焼した際にフロン系冷媒の分子構造を破壊する熱量が得られる。
【００２０】
本発明で用いる可燃性フロン系冷媒組成物は、それ自身の圧力を約１〜１０ＫＰａ程度のプラスの微圧力（大気圧力に対して）に調整して安定して安全に燃焼して分解できる。
【００２１】
例えば、冷凍回路中の圧縮機へ可燃性フロン系冷媒組成物を封入するための封入パイプもしくは冷凍回路中の外部に開口できる弁の先に、圧力を微圧力に調整する圧力レギュレータを設け、この圧力レギュレータに連結した燃焼用ノズルからでる可燃性フロン系冷媒組成物に適当量の水蒸気を混ぜて点火して、安定して安全に燃焼してフロン系冷媒を分解できる。
【００２２】
本発明の処理装置に車輪、把手などを付けてポータブルにすれば容易に移動して必要な場所に運ぶことができ、例えば、冷凍装置を廃棄する場所での処置ができるので運搬の費用が小さくてすむ。
【００２３】
上記圧力レギュレータは冷凍回路内より連続的に放出される可燃性フロン系冷媒組成物の圧力を連続的に燃焼するような圧力状態にするために設けられるものであり、冷凍回路内の可燃性フロン系冷媒組成物の一次圧力が大きく変化しても、二次圧力が約１〜１０ＫＰａ程度、理想的には３ＫＰａ程度になるように自動調節できる機能をもつ。
【００２４】
図１は、冷蔵庫に本発明の一実施例を示す処理装置を連結した状態を示す説明図である。図２は、図１に示した冷蔵庫の冷媒回路に本発明の処理装置を連結した状態を示す説明図である。
図１および図２において、１は圧縮機２を搭載した冷蔵庫である。圧縮機２には凝縮器３、キャピラリチューブ４及び蒸発器５が順次接続され、冷凍回路を構成している。圧縮機１には本発明の可燃性フロン系冷媒組成物の処理装置６が連結されている。
【００２５】
本発明の処理装置６は、燃焼炉７と、冷蔵庫１の冷凍回路中の圧縮器２から可燃性フロン系冷媒組成物を取り出して燃焼炉７に供給する冷媒供給装置８と、燃焼炉７に燃焼用の外気を供給する空気供給装置９と、燃焼炉７に水蒸気を供給する水蒸気供給装置１０などを備えている。
【００２６】
冷媒供給装置８は、圧力計１１、圧力レギュレータ１２、燃焼手段としての燃焼用ノズル１３およびこれらを連結する冷媒管路１４などから構成されている。冷凍回路中の圧縮機２へ本発明の可燃性フロン系冷媒組成物を封入するための封入パイプ１５の先に冷媒管路１４の一端が連結されている。
【００２７】
空気供給装置９は、フィルタ１６、ファン１７、空気通路１８などを備えている。
水蒸気供給装置１０は、水タンク１９、ポンプ２０、水管路２１などを備えており、水管路２１の一端は水タンク１９に、他端は燃焼用ノズル１３に連結されており、水タンク１９中の水を必要量だけポンプ２０により水管路２１を経て燃焼用ノズル１３に供給して蒸発気化して、冷媒供給装置８の冷媒管路１４を経て供給される可燃性フロン系冷媒組成物と均一に混合され、燃焼に供される。
水蒸気供給装置１０の他の例としては、市販の加湿機などを挙げることができる。水蒸気供給装置１０として加湿機を使えば水蒸気を直接燃焼用ノズル１３あるいは焼却炉７に供給できる。
【００２８】
本発明の処理装置６には、車輪２２や把手２３などが取り付けてあり、携帯に便利にしてある。
使用済みなどの理由で冷蔵庫１の冷凍回路中の可燃性フロン系冷媒組成物を燃焼して分解する際は、上記のように構成した本発明の処理装置６を図１、図２に示したように連結し、圧力レギュレータ１２により可燃性フロン系冷媒組成物の圧力を燃焼に適する圧力に制御して冷媒管路１４を経て燃焼用ノズル１３に供給し、供給された可燃性フロン系冷媒組成物は、水管路２１を経て燃焼用ノズル１３に供給された水が蒸発気化した水蒸気と混合されて燃焼炉７内に噴出されて、点火され、燃焼される。空気供給装置９のファン１７は燃焼炉７内に燃焼用の外気を白矢印で示したようにフィルタ１６を経て供給する。可燃性フロン系冷媒組成物は、燃焼炉７内で連続的に安定して燃焼して分解され、廃ガスは白矢印で示したように排気管２４を経て外部に排気される。３２は燃焼炉７に設けたヒータ３３に通電するための電源コード、３４は制御器である。
【００２９】
燃焼炉７中で可燃性フロン系冷媒組成物を水蒸気の存在下で燃焼分解して処理する際の炉内温度は約８００℃以上になるので、燃焼炉７はその温度に耐える耐熱性を有する必要がある。また、運転の最初はヒータ３３に通電して燃焼炉７を加熱して８００℃以上に保ち、燃焼が開始すると燃焼エネルギーのみで炉内温度は約８００℃以上になるので、図示しないサーモスタットの働きによりヒータ３３への通電を自動的に停止するなどして、処理装置６の運転を制御器３４からの信号に基づいて制御する。
【００３０】
図３は、図１に示した冷蔵庫の冷媒回路に本発明の他の処理装置を連結した状態を示す説明図である。
本発明の他の処理装置６Ａは、その排気管２４の途中に廃ガスの処理装置２５Ａが備えられている。Ａに廃ガスの処理装置２５Ａを拡大して説明する。
前記式（２）で示したようにフロン系冷媒が燃焼して分解されるとＨＣｌ、ＨＦが発生し、廃ガスに伴われて外部に排気されるので、外部に排気される前に廃ガスを処理装置２５ＡによりＨＣｌ、ＨＦを水酸化カルシウム、炭酸水素ナトリウムなどのアルカリ性材料により吸収、中和して除去する。
【００３１】
図示したように例えば、炭酸水素ナトリウム水溶液２６中にＨＣｌ、ＨＦのミストを含む廃ガスを排気管２４からバブリングすれば、下記式（３）、（４）のようにＨＣｌ、ＨＦは吸収、中和され除去され、排気管２４から外部に排気される廃ガス中にはもはやＨＣｌ、ＨＦは含まれない。
ＮａＨＣＯ３  ＋ＨＣｌ→ＮａＣｌ＋Ｈ２  ＣＯ３              （３）
ＮａＨＣＯ３  ＋ＨＦ  →ＮａＦ＋Ｈ２  ＣＯ３                （４）
【００３２】
また、水酸化カルシウム水溶液２６中にＨＣｌ、ＨＦのミストを含む廃ガスを排気管２４からバブリングすれば、下記式（５）、（６）のようにＨＣｌ、ＨＦは吸収、中和され除去されて、排気管２４から外部に排気される廃ガス中にはもはやＨＣｌ、ＨＦは含まれない。
Ｃａ（ＯＨ）２  ＋２ＨＣｌ→ＣａＣｌ２  ↓＋２Ｈ２  Ｏ            （５）
Ｃａ（ＯＨ）２  ＋２ＨＦ  →ＣａＦ２  ↓＋２Ｈ２  Ｏ                （６）
【００３３】
炭酸水素ナトリウムを用いる方法は、廃液処理の問題が残るので、沈殿したＣａＣｌ２  やＣａＦ２  を廃液とともに処理できる、水酸化カルシウムを用いる方法の方が現実的であり好ましい。Ｒ−１２の１２０ｇ（１モル）よりＨＣｌ２モルとＨＦ２モルが生成するが、Ｃａ（ＯＨ）２  は上記式（５）と式（６）に示したように２モル（１５２．２ｇ）あればよい。Ｃａ（ＯＨ）２  を２モル（１５２．２ｇ）をカートリッジかパックに収めておけば使用に便利である。
【００３４】
図４は、図１に示した冷蔵庫の冷媒回路に本発明の他の処理装置を連結した状態を示す説明図である。
本発明の他の処理装置６Ｂは、その排気管２４の途中に廃ガスの処理装置２５Ｂが備えられている。Ｂに廃ガスの処理装置２５Ｂを拡大して説明する。
図４に示すように、廃ガスの処理装置２５Ｂ内に、ＨＣｌやＨＦなどの酸性ガスを吸収、中和するなどして固定する固体状の固定化剤２７を充填した天板付有底円筒容器２８が処理装置２５Ｂの内壁との間に廃ガス通路２９が形成されるように挿入されている。天板付有底円筒容器２８の天板と底部を除く壁面には廃ガスが通る小孔３０が多数設けられている。そして、固定化剤２７の中心部には排気管２４が天板付有底円筒容器２８の底部まで延在して配置されており、固定化剤２７内に延在する排気管部分２４Ｃには貫通して多数開けられた小孔３１が設けられている。
【００３５】
ＨＣｌやＨＦなどの酸性ガスを含む廃ガスは排気管２４から排気管部分２４Ｃに入り、排気管部分２４Ｃに設けた小孔３１を経て固定化剤２７に接触してＨＣｌやＨＦなどは吸収、中和するなどして固定化される。ＨＣｌやＨＦなどを固定化剤２７に固定化され除去された廃ガスは天板付有底円筒容器２８の壁面の小孔３０を経て廃ガス通路２９に入り、再び廃気管２４を経て外部に排気される。固体状の固定化剤２７の具体例としては、例えば、水酸化カルシウム、炭酸カルシウム、ハイドロソーダライトなどの粒子を固めて一体化し、廃ガスが内部を通過して接触できるようにしたものを挙げることができる。
【００３６】
なお、本発明は上記実施形態に限定されるものではないので、特許請求の範囲に記載の趣旨から逸脱しない範囲で各種の変形実施が可能である。
【００３７】
【発明の効果】
本発明の処理装置の燃焼炉中で可燃性フロン系冷媒組成物を水蒸気の存在下で燃焼することにより、一旦燃焼させると酸化反応による熱が連続的に発生して、その燃焼の熱により継続して燃焼が進行して、分解しずらいフロン系冷媒ガスを容易に分解でき、未分解のフロン系冷媒ガスが廃ガスに伴われて大気に放出されてしまうことがない。
【００３８】
廃ガスの処理装置を備えた本発明の処理装置により、廃ガス中に含まれるＨＣｌ、ＨＦなどの酸性ガスを容易に除去できるので、これらの酸性ガスが大気に放出されてしまうことがない。
【００３９】
冷媒供給装置に圧力レギュレータ、燃焼手段を設けると、冷凍回路内より連続的に放出される可燃性フロン系冷媒組成物の圧力を連続的に燃焼するに適した圧力状態に制御でき、燃焼用ノズルなどの燃焼手段により可燃性フロン系冷媒組成物を容易に燃焼分解できる。
【００４０】
組成物全体を基準にして炭素数１〜５の炭化水素を６重量％以上９０重量％以下含有することにより可燃性フロン系冷媒組成物を容易に安全に容易に燃焼分解できる。また冷凍機油として、ミネラルオイルやアルキルベンゼン、ＨＡＢ油などの合成油を使用でき、ＣＯＰが高い。
【００４１】
本発明の処理装置に車輪、把手などを付けてポータブルにすれば容易に移動して必要な場所に運ぶことができる。
【００４２】
本発明の処理装置で可燃性フロン系冷媒組成物を水蒸気の存在下、炉内温度８００℃以上で燃焼することにより可燃性フロン系冷媒組成物を容易に安定して連続的に分解できる。
【００４３】
不燃性ＨＦＣ冷媒と炭素数１〜５の炭化水素との組み合わせ、もしくは不燃性ＨＦＣ冷媒と可燃性ＨＦＣ冷媒と炭素数１〜５の炭化水素との組み合わせであって、そのガス体と空気との混合物を常温雰囲気下においては連続燃焼できないが、８００℃以上の温度雰囲気下においては連続燃焼できるような組み合わせからなる可燃性フロン系冷媒組成物を使用すればより容易に安定して連続的に分解できる。
【図面の簡単な説明】
【図１】冷蔵庫に本発明の一実施例を示す処理装置を連結した状態を示す説明図である。
【図２】図１に示した冷蔵庫の冷媒回路に本発明の処理装置を連結した状態を示す説明図である。
【図３】図１に示した冷蔵庫の冷媒回路に本発明の他の処理装置を連結した状態を示す説明図である。
【図４】図１に示した冷蔵庫の冷媒回路に本発明の他の処理装置を連結した状態を示す説明図である。
【符号の説明】
１  冷蔵庫
２  圧縮機
３  凝縮器
４  キャピラリーチューブ
５  蒸発器
６、６Ａ、６Ｂ  処理装置
７  燃焼炉
８  冷媒供給装置
９  空気供給装置
１０  水蒸気供給装置
１２  圧力レギュレータ
１３  燃焼用ノズル（燃焼手段）
２２  車輪
２１  把手
２５Ａ、２５Ｂ  廃ガスの処理装置
【図１】
0003600002.tif 000002
【図２】
0003600002.tif 000003
【図３】
0003600002.tif 000004
【図４】
0003600002.tif 000005